(57)【要約】【課題】エネルギーを低減できる調湿システムを提供する。【解決手段】本発明の調湿システム（１００）は、室内（Ａ）の空気を吸引すると共に、吸引した空気を室内（Ａ）へ排出する室内空気流路（１１０）と、この室内空気流路（１１０）に設けられた調湿材（１３０）とを備えている。調湿材（１３０）は、室内（Ａ）の吸引した空気の水分を吸湿する吸湿部（１３１）と、吸湿した水分を屋根裏空間（Ｂ）に放湿する放湿部（１３２）とを有している。【選択図】図１
2015066472.tif 000002
【特許請求の範囲】
【請求項１】
室内の空気を吸引すると共に、吸引した空気を室内へ排出する室内空気流路と、
前記室内空気流路に設けられた調湿材とを備え、
前記調湿材は、室内の吸引した空気の水分を吸湿する吸湿部と、吸湿した水分を屋根裏空間に放湿する放湿部とを有する、調湿システム。
【請求項２】
屋根裏空間の空気を吸引すると共に、吸引した空気を前記調湿材へ送るための屋根裏空気流路をさらに備えた、請求項１に記載の調湿システム。
【請求項３】
前記屋根裏空気流路の入口側に配置され、吸引した空気を加熱する補助熱源をさらに備えた、請求項２に記載の調湿システム。
【請求項４】
前記調湿材は、一方表面と、前記一方表面と反対側の他方表面とを有する板状であり、
前記室内空気流路と前記屋根裏空気流路とは、前記調湿材で仕切られており、
前記調湿材の前記一方表面は前記室内空気流路に位置し、前記調湿材の前記他方表面は前記屋根裏空気流路に位置する、請求項２または３に記載の調湿システム。
【請求項５】
前記調湿材は、前記室内空気流路に沿って配置される、請求項１〜４のいずれか１項に記載の調湿システム。
【請求項６】
前記調湿材と接触した屋根裏空間の空気を、屋根裏空間の外部に排出する排出部をさらに備えた、請求項１〜５のいずれか１項に記載の調湿システム。
【発明の詳細な説明】
【技術分野】
【０００１】
本発明は、調湿システムに関し、より特定的には、室内の空気を除湿する調湿システムに関する。
【背景技術】
【０００２】
室内の空気を除湿するシステムとして、例えば、特許第４３４１８４８号公報（特許文献１）の空気集熱式ソーラー除湿涼房システムが挙げられる。この特許文献１には、太陽熱集熱部に接続して室内に空気を送る空調機として２つのハンドリングボックスを備え、一方のハンドリングボックスで除湿運転をするとともに、他方のハンドリングボックスで再生運転をしていることが開示されている。
【先行技術文献】
【特許文献】
【０００３】
【特許文献１】特許第４３４１８４８号公報
【発明の概要】
【発明が解決しようとする課題】
【０００４】
しかしながら、上記特許文献１の空気集熱式ソーラー除湿涼房システムでは、除湿運転をしていない他方のハンドリングボックスの再生運転のためにエネルギーを使用することになるので、エネルギーが十分に低減できない。
【０００５】
本発明は、上記問題点に鑑み、エネルギーを低減できる調湿システムを提供することを課題とする。
【課題を解決するための手段】
【０００６】
本発明の調湿システムは、室内の空気を吸引すると共に、吸引した空気を室内へ排出する室内空気流路と、この室内空気流路に設けられた調湿材とを備えている。調湿材は、室内の吸引した空気の水分を吸湿する吸湿部と、吸湿した水分を屋根裏空間に放湿する放湿部とを有している。
【０００７】
本発明の調湿システムにおいて好ましくは、屋根裏空間の空気を吸引すると共に、吸引した空気を調湿材へ送るための屋根裏空気流路をさらに備えている。
【０００８】
本発明の調湿システムにおいて好ましくは、屋根裏空気流路の入口側に配置され、吸引した空気を加熱する補助熱源をさらに備えている。
【０００９】
本発明の調湿システムにおいて、調湿材は、一方表面と、この一方表面と反対側の他方表面とを有する板状であり、室内空気流路と屋根裏空気流路とは、調湿材で仕切られており、調湿材の一方表面は室内空気流路に位置し、調湿材の他方表面は屋根裏空気流路に位置していてもよい。
【００１０】
本発明の調湿システムにおいて、調湿材は板状であり、室内空気流路上に屋根裏空気流路が配置され、室内空気流路と屋根裏空気流路とを交差するように調湿材が配置され、調湿材の下部が吸湿部であって、調湿材の上部が放湿部であってもよい。
【００１１】
本発明の調湿システムにおいて好ましくは、調湿材は、室内空気流路に沿って配置される。
【００１２】
本発明の調湿システムにおいて好ましくは、調湿材と接触した屋根裏空間の空気を、屋根裏空間の外部に排出する排出部をさらに備えている。
【発明の効果】
【００１３】
本発明の調湿システムによれば、エネルギーを低減できる。
【図面の簡単な説明】
【００１４】
【図１】本発明の実施の形態１の調湿システムを示す模式図である。
【図２】本発明の実施の形態２の調湿システムを示す模式図である。
【図３】本発明の実施の形態３の調湿システムを示す模式図である。
【図４】本発明の実施の形態４の調湿システムを示す模式図である。
【図５】本発明の実施の形態５の調湿システムを示す模式図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
（実施の形態１）
図１を参照して、本発明の一実施形態の調湿システムについて説明する。なお、本実施の形態では、図１に示すように、室内Ａと屋根裏空間Ｂとは、天井Ｃで仕切られている。屋根裏空間Ｂは、小屋裏空間とも呼ばれ、天井Ｃと屋根Ｄとの間に位置する空間である。天井Ｃの屋根裏空間Ｂ側の面には、防湿シートが形成されていてもよい。
【００１７】
図１に示すように、本発明の実施の形態１の調湿システム１００は、室内空気流路１１０と、ファン１２０と、調湿材１３０とを備えている。
【００１８】
室内空気流路１１０は、室内Ａと屋根裏空間Ｂとの境界部分に設けられている。本実施の形態では、室内空気流路１１０の一方側は室内Ａ及び天井Ｃに位置し、室内空気流路１１０の他方側は屋根裏空間Ｂに収容されている。
【００１９】
室内空気流路１１０は、室内Ａの空気を吸引すると共に、吸引した空気を室内Ａへ排出する。本実施の形態では、室内空気流路１１０は、室内Ａの空気を吸引する吸気部１１１と、吸引した空気を室内Ａへ排出する排気部１１２とを含んでいる。
【００２０】
室内空気流路１１０は、水平方向に沿って延在している。
【００２１】
室内空気流路１１０内部の吸気部１１１側には、ファン１２０が設けられている。ファンは、排気部１１２側に設けられていてもよく、吸気部１１１側及び排気部１１２側に設けられていてもよい。
【００２２】
室内空気流路１１０には調湿材１３０が設けられている。調湿材１３０は、室内Ａから吸引された空気の流路に沿って配置されている。本実施の形態では、調湿材１３０は、室内空気流路１１０の上端に、延在方向に沿って設けられ、室内空気流路１１０の上端部を構成する。
【００２３】
調湿材１３０は、一方表面と、この一方表面と反対側の他方表面とを有する板状である。調湿材１３０の一方表面は室内空気流路１１０に位置し、調湿材１３０の他方表面は屋根裏空間Ｂに位置している。つまり、調湿材１３０の一部は、室内空気流路１１０及び屋根裏空間Ｂの両方に位置している。
【００２４】
調湿材１３０は、室内の吸引した空気の水分を吸湿する吸湿部１３１と、吸湿した水分を屋根裏空間Ｂに放湿する放湿部１３２とを有している。本実施の形態では、吸湿部１３１は、室内空気流路１１０に露出した面（一方表面）を含む領域であり、放湿部１３２は、屋根裏空間Ｂに露出した面（他方表面）を含む領域である。
【００２５】
調湿材１３０は、湿度が相対的に高い空気と接したときに、空気中の水分を吸収すると共に、湿度が相対的に低い空気と接したときに、吸収した水分を放出する材料である。また、調湿材１３０は、調湿と放湿とを繰り返し行うことができる材料であり、調湿建材を含む。調湿材１３０は、例えば、ゼオライト、珪藻土、シリカゲル、木炭、珪藻土カルシウムなどを用いることができる。また、調湿材１３０は、吸着量を増加するために、一方表面及び他方表面の表面積を増加させる観点から、一方表面及び他方表面に凹凸が形成されていてもよい。
【００２６】
調湿システム１００は、調湿材１３０と接触した屋根裏空間Ｂの空気を、屋根裏空間Ｂの外部に排出する排出部（図示せず）をさらに備えていてもよい。
【００２７】
続いて、図１を参照して、本実施の形態の調湿システム１００の動作について説明する。なお、図１及び後述する図２〜図５において、矢印１１は、室内空気流路１１０における空気の流れを示し、矢印１２は、調湿材１３０における水分の流れを示す。また、屋根裏空間Ｂの空気は、室内Ａの空気よりも、温度が高く、湿度が低い。室内Ａの空気は中温高湿で、屋根裏空間Ｂ内の空気は高温低湿とする。
【００２８】
まず、ファン１２０を起動して、室内Ａの空気を吸気部１１１から吸引して、室内空気流路１１０の内部に供給する。室内Ａから吸引した空気中の水分を、室内空気流路１１０に沿って配置された調湿材１３０の吸湿部１３１に吸収させる。吸湿部１３１により水分が低減された空気を、排気部１１２から室内Ａへ排出する。これにより、室内Ａから取り込んだ中温高湿の空気中の水分を低減して、中温中湿にした空気を室内Ａに排出できる。このため、室内Ａの湿度を低減することができる。
【００２９】
上記室内空気流路１１０での除湿運転と同時に、調湿材１３０の放湿部１３２において、吸収した室内Ａの空気中の水分を、屋根裏空間Ｂに放出させる。これにより、調湿材１３０中の水分を低減できるので、調湿材１３０を再生することができる。
【００３０】
このように、本実施の形態では、調湿材１３０において、吸湿と放湿とを同時に行っている。このため、調湿材１３０を常時使用することができるので、調湿材１３０が単数であっても調湿システム１００は機能する。
【００３１】
なお、この工程では、調湿材１３０と接触した屋根裏空間Ｂの空気を、屋根裏空間Ｂの外部に排出することが好ましい。
【００３２】
本実施の形態の調湿システム１００においては、屋根裏空間Ｂに調湿材１３０の放湿部１３２が配置されており、屋根裏空間Ｂ側は自然対流方式で調湿材１３０の放湿を促進している。この場合、例えば、屋根裏空間Ｂの温度及び室内Ａの湿度をセンサにより検知し、所定の条件に達したときに、上記調湿システム１００を動作させ、所定の条件に達していないときには、上記調湿システム１００を動作させないように制御する。例えば、屋根裏空間Ｂの湿度が４０％を下回り、かつ室内Ａの湿度が６０％を超える場合には、自動運転でファン１２０を起動し、屋根裏空間Ｂの湿度が４０％以上の場合には、自動運転でファン１２０を停止する。また、例えば、屋根裏空間Ｂの湿度が４０％を下回る場合には、手動運転でファン１２０の起動等を調整できるようにしてもよい。
【００３３】
なお、調湿システム１００は、屋根裏空間Ｂの空気を加熱する補助熱源（図示せず）をさらに備えていてもよい。補助熱源は、例えば、調湿材１３０の調湿部１３２近傍に配置される。屋根裏空間Ｂが所定の条件に達していない場合に、補助熱源により、屋根裏空間Ｂの温度を上昇させることができる。ただし、補助熱源は冬、夜間などにおいて所定の条件に達していない場合に使用するものであるので、調湿材１３０の乾燥のために補助熱源を常時使用する必要はない。
【００３４】
続いて、本実施の形態における調湿システム１００の効果について、比較例１及び２と比較して説明する。
【００３５】
（比較例１）
比較例１の調湿システムは、床置型のデシカント式の除湿器である。デシカント式除湿器は、デシカント素子と、このデシカント素子に吸着した水分を放出するためのヒーターとを備え、乾燥させたデシカント素子に室内の空気を通すことで吸湿し、ヒーターによって暖められた室内の空気を利用してデシカント素子を乾燥させる。比較例１のデシカント式の除湿器は、デシカント素子を乾燥する時に使用した高温の空気は室内に放出されることになるので、室内の温度を高くしてしまう。また、比較例１の除湿器は床置きであるため、室内において設置場所を確保する必要がある。
【００３６】
（比較例２）
比較例２の調湿システムは、上記特許文献１のように、太陽熱集熱器を用いて除湿を行う空気集熱式ソーラー除湿涼房システムである。上述したように、一方のハンドリングボックスで除湿運転をし、他方のハンドリングボックスで除湿材の再生運転をしているので、使用するエネルギーが十分に低減されていない。また、除湿運転をするためのハンドリングボックスと、再生運転をするためのハンドリングボックスとの２つのハンドリングボックスが必要となるので、機器が煩雑になる。
【００３７】
一方、本実施の形態の調湿システム１００は、室内Ａの空気を吸引すると共に、吸引した空気を室内Ａへ排出する室内空気流路１１０と、この室内空気流路１１０に設けられた調湿材１３０とを備え、調湿材１３０は、室内Ａの吸引した空気の水分を吸湿する吸湿部１３１と、吸湿した水分を屋根裏空間Ｂに放湿する放湿部１３２とを有している。
【００３８】
本実施の形態の調湿システム１００によれば、調湿材１３０の吸湿部１３１で室内Ａの空気を除湿できると共に、放湿部１３２で調湿材１３０を乾燥することができる。屋根裏空間Ｂは室内Ａよりも高温で低湿であるため、放湿部１３２での調湿材１３０の乾燥は、この屋根裏空間Ｂの高温で低湿な空気を利用している。このように、自然エネルギーを利用して調湿材１３０の再生を行っているので、室内Ａの空気を調湿するために使用するエネルギーを低減することができる。したがって、本実施の形態の調湿システム１００は、省エネを実現できるので、コストを低減することができる。
【００３９】
また、１つの調湿材１３０において、室内Ａの空気中の水分を吸収する除湿工程と、調湿材１３０の乾燥をする乾燥工程とを同時に行うことができる。つまり、１つの調湿材１３０で、継続して室内Ａの調湿をすることが可能である。このため、本実施の形態の調湿システム１００は、比較例２のように継続して除湿工程を実施するための機器を増やす必要がない。したがって、本実施の形態の調湿システム１００は、機器が煩雑になることを防止できるので、コストを低減することができる。
【００４０】
また、本実施の形態では、調湿材１３０で屋根裏空間Ｂと室内空気流路１１０とを仕切り、調湿材１３０として空気を通しにくい材料を用いることで、調湿材１３０の乾燥工程に使用される高温の空気が室内Ａに流入されることを低減できる。したがって、本実施の形態の調湿システム１００は、比較例１に比べて、室内Ａの温度が上昇することを抑制できる。
【００４１】
また、本実施の形態の室内空気流路１１０は、室内Ａに設置されなくてもよい。したがって、本実施の形態の調湿システム１００は、比較例１が有する調湿システムの設置場所の問題を解消することができる。この観点から、本実施の形態の調湿システム１００において好ましくは、室内空気流路１１０は室内Ａと屋根裏空間Ｂとの境界部分に設けられている。この場合、室内Ａにおいて設置場所を確保する必要がない。
【００４２】
本実施の形態の調湿システム１００において好ましくは、調湿材１３０は、室内空気流路１１０に沿って配置される。これにより、吸引した室内Ａの空気を調湿材１３０のより広い領域に接触させることができるので、室内Ａの空気を効果的に調湿することができる。
【００４３】
本実施の形態の調湿システム１００において好ましくは、調湿材１３０と接触した屋根裏空間Ｂの空気を、屋根裏空間Ｂの外部に排出する排出部をさらに備えている。これにより、調湿材１３０から放湿された水分を含む空気を屋根裏空間Ｂの外部に排出することができるので、屋根裏空間Ｂの環境を維持することができる。
【００４４】
（実施の形態２）
図２を参照して、本発明の実施の形態２における調湿システム１０１を説明する。図２に示すように、実施の形態２における調湿システム１０１は、基本的には、図１に示す実施の形態１の調湿システム１００と同様の構成を備えているが、室内空気流路１１０及びファン１２１、１２２において異なる。
【００４５】
具体的には、室内空気流路１１０の吸気部１１１近傍に吸気用のファン１２１が設けられると共に、室内空気流路１１０の排気部１１２近傍に排気用のファン１２２が設けられている。
【００４６】
室内空気流路１１０は、調湿材１３０が配置された調湿部１１３と、この調湿部１１３と入口側及び出口側のそれぞれで連結された入口部１１４及び出口部１１５とを含んでいる。入口部１１４は、吸気用のファン１２１から吸引された室内Ａの空気を調湿部１１３に送る。出口部１１５は、調湿部１１３で水分が低減された空気を排気用のファン１２２に送る。
【００４７】
本実施の形態の調湿システム１０１の動作については、基本的には実施の形態１の調湿システム１００の動作と同様であり、吸気用のファン１２１で室内Ａの空気を吸引すると共に、排気用のファン１２２で水分が低減された空気を室内Ａに排出する点において異なる。
【００４８】
以上説明したように、本実施の形態の調湿システム１０１は、室内Ａの空気を吸引する吸気用のファン１２１と、除湿された空気を室内Ａに排出する排気用のファン１２２とをさらに備えている。これにより、室内Ａの空気の吸引及び室内Ａへの空気の排出をより促進することができるので、室内Ａの空気をより効果的に調湿することができる。
【００４９】
（実施の形態３）
図３を参照して、本発明の実施の形態３における調湿システム１０２について説明する。図３に示すように、実施の形態３における調湿システム１０２は、基本的には、図１に示す実施の形態１の調湿システム１００と同様の構成を備えているが、屋根裏空気流路１４０、屋根裏空気流路１４０用のファン１５０、及び補助熱源１６０をさらに備えている点において異なる。
【００５０】
屋根裏空気流路１４０は、矢印１３に示すように、屋根裏空間Ｂの空気を吸引すると共に、吸引した空気を調湿材１３０へ送る。屋根裏空気流路１４０は、屋根裏空間Ｂの空気を吸引する吸気部１４１と、吸引した空気を屋根裏空間Ｂに排出する排気部１４２とを含んでいる。
【００５１】
屋根裏空気流路１４０は、水平方向に沿って延在している。
【００５２】
屋根裏空気流路１４０は室内空気流路１１０上に配置され、室内空気流路１１０と屋根裏空気流路１４０との間には調湿材１３０が配置され、室内空気流路１１０と屋根裏空気流路１４０とは調湿材１３０で仕切られている。本実施の形態では、調湿材１３０の一方表面は室内空気流路１１０に位置し、調湿材１３０の他方表面は屋根裏空気流路１４０に位置している。つまり、調湿材１３０は、室内空気流路１１０の上端及び屋根裏空気流路１４０下端に配置され、室内空気流路１１０と屋根裏空気流路１４０とを遮っている。
【００５３】
屋根裏空気流路１４０内部の排気部１４２側には、ファン１５０が設けられている。ファンは、吸気部１４１側に設けられていてもよく、吸気部１４１側及び排気部１４２側に設けられていてもよい。
【００５４】
屋根裏空気流路１４０の入口側である吸気部１４１側には、補助熱源１６０が配置されている。補助熱源１６０は、吸引した屋根裏空間Ｂの空気を加熱する。
【００５５】
調湿システム１０２は、調湿材１３０と接触した屋根裏空間Ｂの空気を、屋根裏空気流路１４０の排気部１４２から外部に排出する排出部をさらに備えていてもよい。このような構造は、例えば、屋根裏空気流路１４０の排気部１４２から屋根裏空間Ｂの外部に導くダクトを設けることで実現できる。
【００５６】
続いて、図３を参照して、本実施の形態の調湿システム１０２の動作について説明する。なお、図３及び後述する図４及び図５において、矢印１３は、屋根裏空気流路１４０における空気の流れを示す。
【００５７】
まず、実施の形態１と同様に、ファン１２０を起動して、室内Ａの空気を吸気部１１１から室内空気流路１１０内に供給する。室内から吸引した空気中の水分を、室内空気流路１１０に沿って配置された調湿材１３０の一方表面を含む吸湿部１３１に吸収させる。水分が低減された空気を、排気部１１２から室内Ａへ排出する。
【００５８】
また、ファン１５０を起動して、屋根裏空間Ｂの空気を吸気部１４１から屋根裏空気流路１４０内に供給する。室内Ａよりも高温低湿の屋根裏空間Ｂの空気を、屋根裏空気流路１４０に沿って配置された調湿材１３０の他方表面を含む放湿部１３２に供給し、調湿材１３０が吸収した水分を放出させる。これにより水分が増加した空気を、排気部１４２から排出する。
【００５９】
この工程において、屋根裏空間Ｂの空気の温度が低いと判断される場合には、補助熱源１６０を起動して、屋根裏空気流路１４０に供給された空気を加熱する。例えば、屋根裏空間Ｂの温度が６０℃以上の場合には、補助熱源１６０はオフにし、屋根裏空間Ｂの温度が６０℃未満の場合には、補助熱源１６０をオンにして、屋根裏空気流路１４０の調湿材１３０の放湿部１３２に供給する空気の温度を６０℃以上にする。
【００６０】
また、この工程では、調湿材１３０と接触した屋根裏空間Ｂの空気は水分を含んでいるため、屋根裏空気流路１４０の排気部１４２から排出される空気を屋根裏空間Ｂの外部に排出することが好ましい。これにより、屋根裏空間Ｂの空気環境を保つことができる。
【００６１】
調湿システム１０２が室内Ａの湿度を測定するセンサを備えている場合には、例えば、以下のような運転モードを任意に選択できる制御をしてもよい。具体的には、室内Ａの所定の湿度に対して、室内Ａから室内空気流路１１０に吸引する空気の量を予め定めておき、室内Ａの湿度を任意の値に設定すると、室内Ａから室内空気流路１１０に吸引する空気の量が固定される。この場合、湿度を調整する運転モードとすることができる。また、室内Ａの湿度を所定の値に固定し、室内Ａから室内空気流路１１０に吸引する空気の量を最大にする。この運転の場合、部屋干しをする際の運転モードとすることができる。また、湿度を所定の値に固定し、室内空気流路１１０に吸引する空気の量を自動制御する。この場合、湿度を例えば５５％に設定して、ダニの抑制を目的とした運転モードとすることができる。
【００６２】
以上説明したように、本実施の形態の調湿システム１０２は、屋根裏空間Ｂの空気を吸引すると共に、吸引した空気を調湿材１３０へ送るための屋根裏空気流路１４０をさらに備えている。これにより、屋根裏空間Ｂの空気を調湿材１３０の放湿部１３２に容易に供給することができる。このため、室内Ａの空気を調湿するために使用するエネルギーを低減することができる調湿システム１０２を実現できる。
【００６３】
また、本実施の形態の調湿システム１０２は、屋根裏空気流路１４０の入口側に配置され、吸引した空気を加熱する補助熱源１６０をさらに備えている。これにより、屋根裏空間Ｂの空気の温度が調湿材１３０の乾燥するために要する温度未満の場合であっても、補助熱源１６０で、屋根裏空気流路１４０に吸引される空気の温度を上昇することができるので、調湿材１３０を乾燥できる。室内Ａの空気の温度よりも屋根裏空間Ｂの空気の温度は高いので、補助熱源１６０を使用しても、上述した比較例１のように調湿材１３０の乾燥に用いるために室内Ａの空気を加熱する際に要するエネルギーよりも、省エネ効果を有する。
【００６４】
また、本実施の形態の調湿システム１０２において、調湿材１３０は、一方表面と、この一方表面と反対側の他方表面とを有する板状であり、室内空気流路１１０と屋根裏空気流路１４０とは、調湿材１３０で仕切られており、調湿材１３０の一方表面は室内空気流路１１０に位置し、調湿材１３０の他方表面は屋根裏空気流路１４０に位置している。これにより、調湿材１３０の一方表面を吸湿部１３１として利用し、調湿材１３０の他方表面を放湿部１３２として利用できる。このため、調湿材１３０において、吸湿と放湿とを同時に効率よく行うことができる。
【００６５】
（実施の形態４）
図４を参照して、本発明の実施の形態４の調湿システム１０３について説明する。図４に示すように、実施の形態４における調湿システム１０３は、基本的には、図３に示す実施の形態３の調湿システム１０２と同様の構成を備えているが、調湿材１３０の配置において異なる。
【００６６】
具体的には、積層された室内空気流路１１０と屋根裏空気流路１４０とを交差するように調湿材１３０が配置されている。本実施の形態では、室内空気流路１１０及び屋根裏空気流路１４０は、水平方向に延在し、調湿材１３０は、鉛直方向に延在している。調湿材１３０は、室内空気流路１１０の排気部１１２及び屋根裏空気流路１４０の吸気部１４１側において、室内空気流路１１０及び屋根裏空気流路１４０と直交するように設けられている。
【００６７】
調湿材１３０の下部が吸湿部１３１であって、調湿材１３０の上部が放湿部１３２である。本実施の形態では、室内空気流路１１０と屋根裏空気流路１４０との境界に、調湿材１３０の中央が位置している。調湿材１３０の上部及び下部は、略同じ形状である。
【００６８】
本実施の形態の調湿材１３０は、厚み方向において空気を通過させやすい材料である。つまり、実施の形態３の調湿材は、空気が通りにくい材料であるのに対し、本実施の形態の調湿材は、通気孔を有するなど、空気が通りやすい材料である。
【００６９】
調湿システム１０３は、調湿材１３０を回転させる移動機構をさらに備えている。移動機構は、調湿材１３０の中心を軸として、調湿材１３０を回転させる。
【００７０】
調湿システム１０３は、調湿材１３０の吸湿部１３１における水分含有量を測定するセンサをさらに備えていてもよい。
【００７１】
続いて、図４を参照して、本実施の形態の調湿システム１０３の動作について説明する。
【００７２】
まず、実施の形態３と同様に、ファン１２０を起動して、室内Ａの空気を吸気部１１１から吸引して、室内空気流路１１０内に供給する。室内から吸引した空気中の水分を、室内空気流路１１０に沿って配置された調湿材１３０の下部の吸湿部１３１に吸収させる。この水分が低減された空気を、排気部１１２から室内Ａへ排出する。
【００７３】
上記除湿運転時に、ファン１５０を起動して、屋根裏空間Ｂの空気を吸気部１４１から吸引して、屋根裏空気流路１４０内に供給する。屋根裏空間Ｂの空気を、調湿材１３０の上部の放湿部１３２に供給し、調湿材１３０が吸収した水分を放出させる。この水分を吸収した空気を、排気部１４２から排出する。
【００７４】
次に、調湿材１３０の吸湿部１３１が水分で飽和する前に、調湿材１３０の上部と下部とを１８０°回転させて、吸湿部と放湿部とを逆にする。その結果、調湿材１３０において屋根裏空間Ｂの空気で乾燥した部分を室内空気流路１１０内に配置し、調湿材１３０において室内空気流路１１０の空気中の水分を吸収した部分を屋根裏空気流路に配置することができる。この工程では、センサにより、調湿材１３０の吸湿部１３１における水分含有量を測定し、吸湿部１３１の水分量が所定の値に達した時に、吸湿部１３１が飽和したと判断して、吸湿部と放湿部とを逆にしてもよい。
【００７５】
次に、上述したように、室内空気流路１１０において、室内Ａの空気を吸引し、調湿材１３０の吸湿部１３１で水分が低減された空気を室内Ａへ排出すると共に、屋根裏空気流路１４０において、屋根裏空間Ｂの空気を吸引し、調湿材１３０の放湿部１３２で水分が増加された空気を屋根裏空気流路１４０から排出する。このように、本実施の形態では、１つの調湿材１３０において、放湿が行われる領域と、吸湿が行われる領域とを有し、その領域を交互に入れ替える。
【００７６】
また、実施の形態３と同様に、屋根裏空間Ｂの空気の温度が低いと判断される場合には、補助熱源１６０を起動して、屋根裏空気流路１４０に供給された空気を加熱する。
【００７７】
以上説明したように、本実施の形態の調湿システム１０３は、室内空気流路１１０上に屋根裏空気流路１４０が配置され、室内空気流路１１０と屋根裏空気流路１４０とを交差するように板状の調湿材１３０が配置され、調湿材１３０の下部が吸湿部１３１であり、調湿材１３０の上部が放湿部１３２である。本実施の形態では、調湿材１３０の下部を吸湿部１３１として利用し、調湿材１３０の上部を放湿部１３２として利用できるので、調湿材１３０において吸湿と放湿とを同時に行うことができる。また、吸湿部１３１の吸湿能力が低下すれば、吸湿部と放湿部とを入れ替えることで、常時、調湿材１３０において吸湿と放湿とを同時に行うことができる。
【００７８】
（実施の形態５）
図５を参照して、本発明の実施の形態５の調湿システム１０４について説明する。図５に示すように、実施の形態５における調湿システム１０４は、基本的には、図３に示す実施の形態３の調湿システム１０２と同様の構成を備えているが、室内空気流路１１０及び屋根裏空気流路１４０において異なる。
【００７９】
具体的には、室内空気流路１１０及び屋根裏空気流路１４０は、鉛直方向に沿って延在し、鉛直方向に沿って延在する調湿材１３０で仕切られている。
【００８０】
室内空気流路１１０は、空気を調湿材１３０に案内するための案内部１１６をさらに含んでいる。案内部１１６により、吸気部１１１から吸引された空気は上方へ移動した後、下方へ移動できるので、調湿材１３０の吸湿部１３１に沿って空気を移動させることができる。
【００８１】
本実施の形態の調湿システム１０４の動作については、基本的には実施の形態３と同様であり、室内空気流路１１０内を通過する室内Ａから吸引した空気の流れ（矢印１１）及び屋根裏空気流路１４０内を通過する屋根裏空間Ｂから吸引した空気の流れ（矢印１３）において異なる。
【００８２】
以上説明したように、本実施の形態の調湿システム１０３において、調湿材１３０は、一方表面と、この一方表面と反対側の他方表面とを有する板状であり、室内空気流路１１０及び屋根裏空気流路１４０は鉛直方向に沿って延び、室内空気流路１１０と屋根裏空気流路１４０とは調湿材１３０で仕切られており、調湿材１３０の一方表面は室内空気流路１１０に位置し、調湿材１３０の他方表面は屋根裏空気流路１４０に位置する。このように、室内空気流路１１０及び屋根裏空気流路１４０の配置によらずに、室内Ａの空気を調湿するために使用するエネルギーを低減することができる調湿システム１０３を実現できる。
【００８３】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【符号の説明】
【００８４】
１１，１２，１３  矢印、１００，１０１，１０２，１０３，１０４  調湿システム、１１０  室内空気流路、１１１，１４１  吸気部、１１２，１４２  排気部、１１３  調湿部、１１４  入口部、１１５  出口部、１１６  案内部、１２０，１２１，１２２，１５０  ファン、１３０  調湿材、１３１  吸湿部、１３２  放湿部、１４０  屋根裏空気流路、１６０  補助熱源、Ａ  室内、Ｂ  屋根裏空間、Ｃ  天井、Ｄ  屋根。
【図１】
2015066472.tif 000003
【図２】
2015066472.tif 000004
【図３】
2015066472.tif 000005
【図４】
2015066472.tif 000006
【図５】
2015066472.tif 000007